(57)【要約】      （修正有）【課題】支持体と被支持体の支持構造である一対の挟持片や取付けボス部，支軸ねじに過大な負荷を与えることなく、被支持体を支軸ねじ周りで確実且つ簡便に回動・固定できる様にして支持構造の耐久性と設計の自由度を向上させる。【解決手段】支持体（支持アーム）５の挟持片１０ｂ，１０ｃの先端側に被支持体（拡大鏡ユニット）７の取付けボス部１６ａを差し込み、取付けボス部１６ａと挟持片１０ｂ，１０ｃとの間にそれぞれワッシャ２０を介装し、これらに支軸ねじ９の雄ねじ１１を挿通して雌ねじ（つまみ）１９により螺締し、被支持体（拡大鏡ユニット）７を支軸ねじ９周りの任意の位置に片持ちで支持する。【選択図】図１
2019003045.tif 000002
【特許請求の範囲】
【請求項１】
支持体の先端または被支持体の外端のいずれか一方に、一対の平行な挟持片を突設し、他方に前記一対の挟持片間に挟持される取付けボス部を突設し、軸部と該軸部の一端側に形成した頭部と前記軸部の他端側に形成したねじ部とを有する雄ねじと、前記雄ねじのねじ部に取り付けられる雌ねじとからなる支軸ねじの前記雄ねじの軸部を一方の挟持片から前記取付けボス部と前記一対の挟持片とに挿通させるとともに他方の挟持片から突出する前記ねじ部に前記雌ねじを螺着しており、前記支軸ねじを緩めた際には前記被支持体を前記支軸ねじ周りに回動可能とし、前記支軸ねじをねじ込み操作した際には前記被支持体を前記支軸ねじ周りの任意の位置に片持ちで支持するようになした被支持体の支持構造において、
前記被支持体を前記一対の挟持片の先端側で支持し、該一対の挟持片の基端側間に調整ねじを螺着し、
前記挟持片の先端側と取付けボス部が片当たりした際に、前記調整ねじをねじ込んで挟持片の基端側を互いに引き寄せ、前記挟持片と前記取付けボス部とを面当たりさせることを特徴とする被支持体の支持構造。
【請求項２】
前記一対の挟持片と前記取付けボス部とをそれぞれ金属で形成し、該一対の挟持片と取付けボス部との間にそれぞれ非金属ワッシャを介装し、前記調整ねじをねじ込んだ際に前記一対の挟持片と前記取付けボス部と前記ワッシャとを面当たりさせることを特徴とする請求項１に記載の被支持体の支持構造。
【発明の詳細な説明】
【技術分野】
【０００１】
本発明は、支柱や支持アーム，自在アーム等の支持体に、蛍光灯や照明ランプ，ＬＥＤ，拡大鏡，顕微鏡レンズ等の被支持体を片持ちで支持するようにした被支持体の支持構造に関する。
【背景技術】
【０００２】
精密部品の組み立てや検査、あるいは医療現場での手術やその模擬練習などでは、拡大鏡の周囲に照明灯を配置した被支持体を片持ちで支持するようにした支持構造を用いて微細な手元作業を照明のもとで容易に行えるようにした拡大鏡スタンドがある。（例えば、特許文献１参照）。
【０００３】
特許文献１に示される拡大鏡スタンドは、作業テーブルと一体の架台に支柱を立設し、該支柱に支持アームを昇降自在に取り付け、該支持アームから水平方向に突出する支持アームの先端に、円形の凸レンズを用いた拡大鏡とその外周を囲撓する環状照明灯とをランプシェードで一体に覆った拡大鏡ユニットが支持構造を用いて支持されている。
【０００４】
上述の支持アームは本発明の支持体に、また拡大鏡ユニットは本発明の被支持体にそれぞれ相当するもので、支持アームの先端にコ字形のリテーナを固着し、ランプシェードの外周面一側端には板状の取付けボス部を突設して、該取付けボス部を前記リテーナの一対の平行な挟持片の間に挿通し、これら取付けボス部と一対の挟持片とにつまみ付きの支軸ねじを螺着して、拡大鏡ユニットの支持構造を構成し、支軸ねじを緩めた際には前記拡大鏡ユニットを支軸ねじ周りに回動可能とし、また支軸ねじをねじ込み操作した際には前記拡大鏡ユニットを支軸ねじ周りの任意の位置に移動できるようにして拡大鏡スタンドの利便性を高めるとともに、拡大鏡ユニットを占有スペースの少ない片持ちで支持することにより、作業テーブル周囲により広い作業スペースを確保できるようにしている。
【先行技術文献】
【特許文献】
【０００５】
【特許文献１】特許第４２４１９７１号公報
【発明の開示】
【発明が解決しようとする課題】
【０００６】
特許文献１に示される拡大鏡スタンドでは、作業内容によって拡大鏡ユニットの位置変更（角度変更）が頻繁に行われ、その変更の度に支軸ねじの緩め操作と締め付け操作とが繰り返されるが、この拡大鏡スタンドは、前述のごとく拡大鏡ユニットを片持ちで支持する構造であることから拡大鏡ユニットの全荷重が支持構造の一点に集中して作用するため、支軸ねじにはかなりの締め付け力を要する。
【０００７】
このため、支軸ねじを強く締め付けすると、両挟持片の先端側が平行よりも内側に押されて挟持片や取付けボス部，支軸ねじの頭部等がいわゆる片当たり状態となり、支軸ねじの締め付け力が挟持片や取付けボス部へ充分に伝わらずに、拡大鏡ユニットを確実に支持できないことがあったり、あるいは支軸ねじの強大な締め付け力でおねじやめねじのねじ山が切れて拡大鏡ユニットの支持自体に支障をきたすこととなる。
【０００８】
さらに、支持アームのリテーナとランプシェードの取付けボス部とが金属製の場合に、拡大鏡ユニットの位置変更操作を頻繁に繰り返すと、リテーナの両挟持片と取付けボス部とがこじられて摩耗粉を発生し、拡大鏡スタンド周辺を汚損するばかりか支持構造の損耗を早めることとなる。また、支持アームのリテーナとランプシェードの取付けボス部とが合成樹脂製の場合でも、上記した挟持片と取付けボス部との片当たりの虞があるほか、挟持片や取付けボス部に金属の場合のような強い締め付け力を作用させることができないので、重量のある拡大鏡ユニットの支持には不向きである等、設計の自由度が損なわれる。
【０００９】
本発明は、かかる実情を背景にしてなされたもので、その目的とするところは、支持体と被支持体の支持構造である挟持片や取付けボス部，支軸ねじに過大な負荷を与えることなく、被支持体を支軸ねじ周りの任意の位置へ確実且つ簡便に回動または固定することが可能で、また支持構造の材質如何に関わらず設計の自由度を向上させることのできる被支持体の支持構造を提供することにある。
【課題を解決するための手段】
【００１０】
上述の目的を達成するため、本発明の被支持体の支持構造は、支持体の先端または被支持体の外端のいずれか一方に、一対の平行な挟持片を突設し、他方に前記一対の挟持片間に挟持される取付けボス部を突設し、軸部と該軸部の一端側に形成した頭部と前記軸部の他端側に形成したねじ部とを有する雄ねじと、前記雄ねじのねじ部に取り付けられる雌ねじとからなる支軸ねじの前記雄ねじの軸部を一方の挟持片から前記取付けボス部と前記一対の挟持片とに挿通させるとともに他方の挟持片から突出する前記ねじ部に前記雌ねじを螺着しており、前記支軸ねじを緩めた際には前記被支持体を前記支軸ねじ周りに回動可能とし、前記支軸ねじをねじ込み操作した際には前記被支持体を前記支軸ねじ周りの任意の位置に片持ちで支持するようになした被支持体の支持構造において、前記被支持体を前記一対の挟持片の先端側で支持し、該一対の挟持片の基端側間に調整ねじを螺着し、該調整ねじを増し締めした際には前記両挟持片の基端側を互いに引き寄せて両挟持片と前記取付けボス部とを面当たりさせることを特徴としている。
【００１１】
また、本発明の被支持体の支持構造は、前記一対の挟持片と前記取付けボス部とをそれぞれ金属で形成し、該一対の挟持片と取付けボス部との間にそれぞれ非金属ワッシャを介装し、前記調整ねじをねじ込んだ際に前記一対の挟持片と前記取付けボス部と前記ワッシャとを面当たりさせることもできる。
【００１２】
本発明の被支持体の支持構造では、両挟持片の先端側に支軸ねじが、また両挟持片の基端側に調整ねじがそれぞれ位置し、これまでの支持構造と同様に、挟持片の先端側に位置する支軸ねじを緩めたり締め込むことにより、被支持体が支軸ねじ周りに回動したり所望の位置（角度）に固定される。被支持体を固定する際、両挟持片が平行で挟持片や取付けボス部，支軸ねじの頭部等が隙間なく面当たりしている状態では、調整ねじを締め付けする必要はなく、調整ねじは単に双方の挟持片に架け渡した状態にあって、挟持片の基端側に締め付け力を与えない。
【００１３】
また、被支持体にかなりの重量があったり、挟持片や取付けボス部，支軸ねじに製作誤差があったりこれらの部品の摩耗が進行すると、支軸ねじの締め込みによって両挟持片の先端側同士が平行よりも内側に傾いていき、挟持片や取付けボス部，支軸ねじの頭部等がいわゆる片当たり状態となることがあるが、この場合には両挟持片の基端側に位置する調整ねじを増し締めすることにより、両挟持片の基端側が互いに引き寄せられ、双方の挟持片全体が平行乃至は極力平行に近づいて、両挟持片や取付けボス部，支軸ねじの頭部等を隙間なく面当たりする。この面当たりにより、支軸ねじの締め付け力が双方の挟持片と取付けボス部とにロスなく伝わり、支軸ねじの締め付け力が強大でなくとも被支持体を確実に固定することができるようになる。
【００１４】
さらに、一対の挟持片と取付けボス部とを金属で形成し、両挟持片と取付けボス部との間にそれぞれ非金属ワッシャを介装し、前記調整ねじを増し締めした際に前記一対の挟持片と前記取付けボス部と前記非金属ワッシャとを面当たりさせることにより、被支持体の位置変更を頻繁に行ない、その度に支軸ねじの緩め操作と締め付け操作とを繰り返しても、挟持片や取付けボス部からの摩耗粉が生じにくく、またより強固な締め付け力が得られる。
【発明の効果】
【００１５】
本発明によれば、被支持体を固定する際の操作性に優れ、支持体と被支持体の支持構造である挟持片や取付けボス部，支軸ねじに過大な負荷を与えることなく、被支持体を確実且つ簡便に回動または固定することが可能となるばかりか、支持構造の材質如何に関わらず設計の自由度を向上させることができる。また部品同士のこじりが抑えられるので耐久性の向上が図れる。さらに、支軸ねじの締め付け力を挟持片と取付けボス部とにロスなく有効に作用させるので、重量のある被支持体にも適用が可能となる。
【００１６】
また、一対の挟持片と取付けボス部とを金属で形成し、両挟持片と取付けボス部との間にそれぞれ非金属ワッシャを介装し、前記調整ねじを増し締めした際に一対の挟持片と取付けボス部と前記非金属ワッシャとを隙間なく面当たりさせることにより、被支持体の位置変更（角度変更）を頻繁に行ない、その度に支軸ねじの緩め操作と締め付け操作とを繰り返しても、挟持片や取付けボス部とのこじりが抑えられるので摩耗粉が生じにくくなり、さらに支軸ねじを強く締め付け操作しても挟持片と取付けボス部とのこじりが抑えられるので、滑らかでフィット感の操作が行える。また、より一層重量のある被支持体をも支持することができる。
【図面の簡単な説明】
【００１７】
【図１】本発明の一形態例を示す拡大鏡スタンドの支持構造の要部断面平面図である。
【図２】本発明の一形態例を示す拡大鏡スタンドの斜視図である。
【図３】本発明の一形態例を示す拡大鏡スタンドの支持構造と拡大鏡ユニットの平面図である。
【発明を実施するための形態】
【００１８】
以下、本発明を拡大鏡スタンドに適用した一形態例を図面に基づいて説明する。
【００１９】
図２に示すように、拡大鏡スタンド１は、作業テーブル２と一体の架台３の後部に支柱４が立設され、該支柱４に本発明の支持体となる支持アーム５がアーム固定用つまみ６を用いて昇降自在に取り付けられており、作業テーブル２の上方へ向けて水平に突出する支持アーム５の先端に、本発明の被支持体となる拡大鏡ユニット７が支持構造８を介して片持ち支持されている。
【００２０】
支持アーム５の先端には金属製のリテーナ１０が突設されており、該リテーナ１０は支持アーム５の先端に固着される連結片１０ａと、該連結片１０ａの両端から前記作業テーブル２の上方へ平行に突出する一対の挟持片１０ｂ，１０ｃとのコ字状に形成されている。
【００２１】
挟持片１０ｂ，１０ｃの先端側には、支軸ねじ９を取付けするための第一ねじ挿通孔１２ａ，１２ｂが同軸上に穿設されており、また挟持片１０ｂ，１０ｃの基端側には調整ねじ１３を取付けするための第二ねじ挿通孔１４とめねじ孔１５とが同軸上に穿設されている。
【００２２】
前記拡大鏡ユニット７は、円形の凸レンズを用いた拡大鏡ＬＥとその外側を囲撓する環状照明灯（図示しない）とを金属製のランプシェード１６でリング状に覆って形成されており、ランプシェード１６の後端には板状の取付けボス部１６ａが縦方向に突設され、該取付けボス部１６ａに支軸ねじ９を取付けするためのねじ挿通孔１７が穿設されている。
【００２３】
図１及び図３に示すように、前記拡大鏡ユニット７は、前記支軸ねじ９を用いて支持アーム５のリテーナ１０に回動可能に片持ち支持される。支軸ねじ９は、先端にねじ部を有する軸部１１ａ及び該軸部１１ａ基端の六角頭部１１ｂからなる雄ねじ１１と、軸部１１ａの先端側に装着されるカラー１８と、前記軸部１１ａに螺着可能な雌ねじであるつまみ１９とで構成されている。また調整ねじ１３には、軸部１３ａの基端に頭部１３ｂを有する一般的な小ねじが用いられ、支軸ねじ９のような他部品との組み合わせ構成は特にない。
【００２４】
図１に示すように、前述の支持構造８は、支持アーム５先端のリテーナ１０と、拡大鏡ユニット７のランプシェード１６の取付けボス部１６ａと、リテーナ１０の挟持片１０ｂ，１０ｃの先端側で該挟持片１０ｂ，１０ｃ及び取付けボス部１６ａとを回動可能に片持ち支持する支軸ねじ９及びワッシャ２０，２０と、挟持片１０ｂ，１０ｃの基端側に架け渡される調整ねじ１３とを含んでいる。
【００２５】
図１及び図３に示すように、前記拡大鏡ユニット７を支持アーム５のリテーナ１０に取り付けるには、ランプシェード１６の取付けボス部１６ａをリテーナ１０の挟持片１０ｂ，１０ｃの間に差し込んで、挟持片１０ｂ，１０ｃの第一ねじ挿通孔１２ａ，１２ｂと取付けボス部１６ａのねじ挿通孔１７とを同軸上に位置合わせし、さらに挟持片１０ｂ，１０ｃと取付けボス部１６ａとの間の隙間にそれぞれ合成樹脂製のワッシャ２０を介装して、一方の挟持片１０ｂの第一ねじ挿通孔１２ａから雄ねじ１１の軸部１１ａを挿入し、他方の挟持片１０ｃの第一ねじ挿通孔１２ｂから突出する軸部１１ａの先端にカラー１８を外挿するとともにその外側につまみ１９を螺着し、該つまみ１９をねじ込むことにより、雄ねじ１１の頭部１１ｂ及びカラー１８とで挟持片１０ｂ，１０ｃと取付けボス部１６ａ及びワッシャ２０，２０とが挟持される。
【００２６】
上述のように、拡大鏡ユニット７は、支軸ねじ９を用いて支持アーム５のリテーナ１０に片持ちで支持され、つまみ１９のねじ込みを緩めることにより支軸ねじ９周りに回動が可能となり、また所望位置（所望角度）へ回動したのちつまみ１９をねじ込み操作することによって当該位置に固定される。なお、上記したつまみ１９のねじ込みあるいは緩め操作では、軸部１１ａと六角頭部１１ｂとがつまみ方向へ引き寄せられたり反つまみ方向へ戻される動きをするのみで、軸部１１ａと六角頭部１１ｂは回転しない。
【００２７】
図２及び図３に示した符号１０ｄは、雄ねじ１１の六角頭部１１ｂを回転不能に保持するためにリテーナ１０の挟持片１０ｂから突出して形成された突片であり、この突片１０ｄが形成されていることで雄ねじ１１を回転させることなく確実につまみ方向へ引き寄せられたり反つまみ方向へ戻される動きをさせることができる。
【００２８】
前記調整ねじ１３は、軸部１３ａを一方の挟持片１０ｂの第二ねじ挿通孔１４へ挿入し、該軸部１３ａを他方の挟持片１０ｃのめねじ孔１５にねじ込むことにより、両挟持片１０ｂ，１０ｃの基端側に前記支軸ねじ９と平行に架け渡される。
【００２９】
この状態において、支軸ねじ９に締め付けされる挟持片１０ｂ，１０ｃが平行で、挟持片１０ｂ，１０ｃと取付けボス部１６ａ，ワッシャ２０，２０とが互いに隙間なく面当たりしている場合、調整ねじ１３は単に双方の挟持片１０ｂ，１０ｃに架け渡しただけの状態にあり、挟持片１０ｂ，１０ｃの基端側に締め付け力を与えない。
【００３０】
また、挟持片１０ｂ，１０ｃや取付けボス部１６ａ，ワッシャ２０，２０に製作誤差があったり摩耗が進行すると、挟持片１０ｂ，１０ｃの先端側が内側に傾き、挟持片１０ｂ，１０ｃや取付けボス部１６ａ，ワッシャ２０，２０の間に傾斜した隙間を生じていわゆる片当たり状態となるが、この場合には、調整ねじ１３をねじ込んで挟持片１０ｂ，１０ｃの基端側を締め付けて、基端側の間隔を先端側と同様に狭める。これにより、挟持片１０ｂ，１０ｃの間隔が再び平行に戻され、挟持片１０ｂ，１０ｃと取付けボス部１６ａ，ワッシャ２０，２０とが互いに隙間なく面当たり状態となる。
【００３１】
本形態例の支持構造８によれば、つまみ１９のねじ込み力が通常程度であっても、挟持片１０ｂ，１０ｃが取付けボス部１６ａを簡便且つ確実に挟持するので、被支持体である拡大鏡ユニット７を簡便且つ確実に片持ち支持することができるばかりか、より重量のある拡大鏡ユニット７の支持も可能となるなど、設計の自由度も向上する。さらに、拡大鏡ユニット７を固定または回動する際の操作性に優れる。また、つまみ１９に過大なねじ込み力を与えないので構成部品の耐久性が向上する。
【００３２】
また、一対の挟持片１０ｂ，１０ｃと取付けボス部１６ａとを金属で形成し、両挟持片１０ｂ，１０ｃと取付けボス部１６ａとの間にそれぞれ合成樹脂製のワッシャ２０，２０を介装する構成としたことにより、つまみ１９を強く締め付けしても挟持片１０ｂ，１０ｃと取付けボス部１６ａとのこじりがなく、滑らかでソフトなフィット感が得られる。また、挟持片１０ｂ，１０ｃと取付けボス部１６ａからの摩耗粉が生じにくくなるので、拡大鏡スタンド１やその周辺を汚損しなくなり、しかもより一層重量のある拡大鏡ユニット７をも支持することができる。
【００３３】
なお、支持構造８を用いた上述の調整操作は、挟持片１０ｂ，１０ｃや取付けボス部１６ａ，ワッシャ２０，２０の摩耗が進行して、挟持片１０ｂ，１０ｃや取付けボス部１６ａ，ワッシャ２０，２０が片当たりするたびに繰り返し行うことができる。
【００３４】
また、上述の形態例では、支軸ねじの軸部やその頭部は回転させず、つまみの回動操作によって被支持体である拡大鏡ユニットの回動と固定とを行うようにしたが、本発明は、支軸ねじを軸部の頭部に大径のつまみを設けた形状に形成して、つまみと軸部とを一体に回転させるようにしてもよい。
【００３５】
さらに、上述の形態例では、支持アームを支柱から水平方向へ突出する棒状のもので説明したが、本発明は２つのアームを揺動可能に連結したフリーアーム型の支持アームにも適用が可能である。
【産業上の利用可能性】
【００３６】
本発明は、形態例に示した拡大鏡スタンドのほか、蛍光灯やＬＥＤランプを用いたデスク照明スタンド、顕微鏡、その他被支持体を片持ちで支持する構造の支持構造に適用ができる。
【符号の説明】
【００３７】
１  拡大鏡スタンド、２  作業テーブル、３  架台、４  支柱、５  支持アーム（本発明の支持体）、６  アーム固定用つまみ、７  拡大鏡ユニット（本発明の被支持体）、８  支持構造、９  支軸ねじ、１０  リテーナ、１０ａ  連結片、１０ｂ  挟持片、１０ｃ  挟持片、１１  雄ねじ、１１ａ  軸部、１１ｂ  六角頭部、１２  拡大鏡スタンド、１２ａ  第一ねじ挿通孔、１２ｂ  第一ねじ挿通孔、１３  調整ねじ、１３ａ  軸部、１３ｂ  頭部、１４  第二ねじ挿通孔、１５  めねじ孔、１６  ランプシェード、１６ａ  取付けボス部、１７  ねじ挿通孔、１８  カラー、１９  つまみ（本発明の雌ねじ）、２０  ワッシャ
【図１】
2019003045.tif 000003
【図２】
2019003045.tif 000004
【図３】
2019003045.tif 000005